(57)【要約】【課題】強制的な開放を防止可能な可変入賞装置において、その全長（奥行き）が大きくなるのを回避すること。【解決手段】扉部材６が閉鎖位置にあると、規制部材２９が規制受部２４の開扉方向への回動を阻むので扉部材６を強制的に開放できない。ソレノイド１１により前後移動部材１３が距離Ａを超えて後退すると拘引面２７ａがクランクピン２５に当接し、クランク部材１２が回動を開始する。規制部材２９は規制受部２４の移動先から退去して、この回動を妨げない。クランク部材１２が規制部材２９の制約を受けないから駆動腕２０の振幅を大きくでき、駆動腕２０を長くせずとも扉部材６を開閉可能である。よって、可変入賞装置１の全長を小さくできる。【選択図】  図２
2008043553.tif 000002
【特許請求の範囲】
【請求項１】
扉軸を中心にして閉鎖位置と開放位置とに回動変位し前記閉鎖位置では入賞口を閉鎖し前記開放位置では前記入賞口を開放する扉部材と、
先端部が前記扉部材と連結される駆動腕を有してクランク軸を中心として開扉端と閉扉端との間で回動自在で、
前記開扉端へ向かう開扉方向に回動すれば前記扉部材を前記開放位置へと変位させ前記閉扉端へ向かう閉扉方向に回動すれば前記扉部材を前記閉鎖位置へと変位させるクランク部材と、
アクチュエータによって駆動されて前後に移動し、後退時には前記クランク部材を前記開扉方向に駆動し前進時には前記クランク部材を前記閉扉方向に駆動する前後移動部材と
を備える可変入賞装置において、
前記前後移動部材がその前進端から設定距離Ａを後退するまでは前記開扉方向に駆動する力が前記クランク部材に作用しない構成とし、
前記前後移動部材が前記設定距離Ａを後退するまでは前記クランク部材の軌道範囲に在って前記クランク部材の前記開扉方向への回動を阻み、
前記前後移動部材が前記設定距離Ａを超えて後退すると前記開扉方向へ回動する前記クランク部材の移動先から退去する規制部材を備えた
ことを特徴とする可変入賞装置。
【請求項２】
請求項１記載の可変入賞装置において、
前記クランク部材には、前記クランク軸を中心とする回動半径が前記駆動腕の同半径よりも短い規制受部が設けられ、
前記規制部材は、前記前後移動部材が前記設定距離Ａを後退するまでは前記規制受部の軌道範囲に在って前記規制受部の前記開扉方向への回動を阻み、前記前後移動部材が前記設定距離Ａを超えて後退すると前記規制受部の軌道範囲から退去する
ことを特徴とする可変入賞装置。
【請求項３】
請求項２記載の可変入賞装置において、
前記規制受部の軌道範囲と前記駆動腕の軌道範囲とは重複しない
ことを特徴とする可変入賞装置。
【発明の詳細な説明】
【技術分野】
【０００１】
本発明は、弾球遊技機の技術分野に属し、詳しくは弾球遊技機に装着される可変入賞装置に関する。
【背景技術】
【０００２】
弾球遊技機の可変入賞装置を例えばピアノ線などを用いて強制的に開放させる不正行為が知られており、可変入賞装置には、このような不正行為に対する耐性が要求される。
そうした耐性を高めた可変入賞装置が特開２００１−３１４５７９号公報（特許文献１）に開示されている。
【０００３】
特許文献１の可変入賞装置は、プランジャを前後進させるソレノイド、プランジャの先端に固着されたソレノイドクランク、ソレノイドクランクと連結され、また先端部が開閉部材に連結されたクランク部材、クランク部材の上向回動及び下向回動によって開閉駆動される開閉部材を備えており、ソレノイドが消磁するとプランジャが前進し、ソレノイドクランクを介してクランク部材の先端部を下向回動させて両開閉部材を閉鎖位置にし、ソレノイドが励磁してプランジャが後退すればクランク部材の先端部が上向回動して開閉部材を開放位置にさせる。
【０００４】
そして、ソレノイドクランクとクランク部材とは、ソレノイドが励磁しソレノイドクランクが所定の長さ後退したとき初めてクランク部材がその先端部を上向回動させる係合手段により連結され、また、ソレノイドクランクにはソレノイドが消磁しているときクランク部材の上側に位置してその無用な上向回動を阻止しかつソレノイドが励磁してソレノイドクランクが所定の長さ後退するまでの間に前記阻止を解除する抑え片を設けて、上記不正行為に対する耐性を高めている。
【特許文献１】特開２００１−３１４５７９（段落００１７〜００１９）
【発明の開示】
【発明が解決しようとする課題】
【０００５】
特許文献１の可変入賞装置では、ソレノイド３７が励磁してソレノイドクランク４０が所定の長さＬ後退するまでの間に、抑え片５８が切欠部５６から抜け出て、クランク部材２９の上向回動の阻止が解除される（段落００１８）。しかし、切欠部５６から抜け出た抑え片５８は、クランク部材２９の主杆３３の上面に設けられた窪み５７内に位置するので（段落００１９）、その抑え片５８によって主杆３３すなわちクランク部材２９の回動可能な範囲が制約されてしまう。
【０００６】
より具体的には、主杆３３の昇降範囲が小さくされているので、主杆３３の先端部を開閉部材の開閉変位に十分なだけ昇降させるために、主杆３３の長さを大きくしなければならなかった。すると、可変入賞装置の全長（奥行き寸法）が大きくなり、遊技盤の背後に大きく突出するために、遊技盤の背後における制御基板などの部品配置を制約したり、弾球遊技機としての奥行き寸法を増加させる事態となっていた。
【課題を解決するための手段】
【０００７】
請求項１記載の可変入賞装置は、扉軸を中心にして閉鎖位置と開放位置とに回動変位し前記閉鎖位置では入賞口を閉鎖し前記開放位置では前記入賞口を開放する扉部材と、先端部が前記扉部材と連結される駆動腕を有してクランク軸を中心として開扉端と閉扉端との間で回動自在で、前記開扉端へ向かう開扉方向に回動すれば前記扉部材を前記開放位置へと変位させ前記閉扉端へ向かう閉扉方向に回動すれば前記扉部材を前記閉鎖位置へと変位させるクランク部材と、アクチュエータによって駆動されて前後に移動し、後退時には前記クランク部材を前記開扉方向に駆動し前進時には前記クランク部材を前記閉扉方向に駆動する前後移動部材とを備える可変入賞装置において、
前記前後移動部材がその前進端から設定距離Ａを後退するまでは前記開扉方向に駆動する力が前記クランク部材に作用しない構成とし、
前記前後移動部材が前記設定距離Ａを後退するまでは前記クランク部材の軌道範囲に在って前記クランク部材の前記開扉方向への回動を阻み、前記前後移動部材が前記設定距離Ａを超えて後退すると前記開扉方向へ回動する前記クランク部材の移動先から退去する規制部材を備えた
ことを特徴とする。
【０００８】
この可変入賞装置においては、前後移動部材がその前進端から設定距離Ａを後退するまでは開扉方向に駆動する力がクランク部材に作用しない構成としてあるので、前後移動部材が前進端から設定距離Ａまでの範囲にあるときは、扉部材は閉鎖位置にあって入賞口は閉鎖されている。なお、入賞口の「閉鎖」とは遊技球が入賞できない状態であり、多少開いていてもよく、密閉であることを要さない。従って、「開放」とは遊技球が入賞できる状態である。
【０００９】
その入賞口が閉鎖されている状態にあるとき、つまり前後移動部材が設定距離Ａを後退するまでは、規制部材がクランク部材の軌道範囲に在ってクランク部材の開扉方向への回動を阻むから、扉部材に外力を及ぼしても扉部材に連結されているクランク部材が開扉方向へ回動せず扉部材は開放できない。これによって、ピアノ線などを用いて強制的に開放させる不正行為は防止される。
【００１０】
一方、前後移動部材が設定距離Ａを超えて後退すると、クランク部材を開扉方向に駆動する力が前後移動部材からクランク部材に及ぼされ、開扉方向への回動を開始する。この回動開始のタイミングでは、規制部材は開扉方向へ回動するクランク部材の移動先から退去して、クランク部材の回動を妨げない。従って、前後移動部材の後退が継続すれば、扉部材が開放位置になる。
【００１１】
前後移動部材から力を及ぼされて開扉方向へ回動するクランク部材の移動先から規制部材が退去しており、この状態においては規制部材はクランク部材の回動の妨げとならない。
【００１２】
従って、クランク部材（駆動腕）の開扉方向への回動範囲は規制部材による制約を受けないから、クランク部材の開扉端〜閉扉端間における駆動腕の変位範囲（振幅）を可及的に大きくできる。
【００１３】
よって、駆動腕の長さを大きくせずとも、駆動腕の先端部を扉部材の開閉変位に十分なだけ昇降変位させることができる。つまり、可変入賞装置の全長（奥行き寸法）を小さくでき、可変入賞装置が遊技盤の背後に大きく突出して遊技盤の背後における制御基板などの部品配置を制約する等の不具合は生じない。
【００１４】
この効果をより確実にするには、請求項２記載の構成、すなわち請求項１記載の可変入賞装置において、前記クランク部材には、前記クランク軸を中心とする回動半径が前記駆動腕の同半径よりも短い規制受部が設けられ、前記規制部材は、前記前後移動部材が前記設定距離Ａを後退するまでは前記規制受部の軌道範囲に在って前記規制受部の前記開扉方向への回動を阻み、前記前後移動部材が前記設定距離Ａを超えて後退すると前記規制受部の軌道範囲から退去する
ことを特徴とする可変入賞装置にするとよい。
【００１５】
この構成であれば、クランク部材の開扉方向への回動を阻むか阻まないかは規制受部と規制部材との相対関係になるので、駆動腕などに影響しないから、請求項１の効果をより確実にする。
【００１６】
また、請求項３記載のように、請求項２記載の可変入賞装置において、前記規制受部の軌道範囲と前記駆動腕の軌道範囲とは重複しない構成にすれば、規制受部を設けたことによる効果が一層確実になる。
【発明を実施するための最良の形態】
【００１７】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例１］
本実施例の可変入賞装置１は、いわゆるアタッカーであり、図１に示すとおりの外観形状をしている。
【００１８】
可変入賞装置１は、これを遊技盤に取り付けるための部材であり、他の各部を支持する部材でもある台板２を備えている。台板２の左右端部には遊技盤に取り付ける際にネジが貫通するビス穴３が設けられ、中央部には略長方形の入賞口４が設けられている。また台板２の前面には、入賞口４の左右下隅の下方に各一対ずつの軸受部５が設けられている。これら軸受部５は扉部材６の扉軸７を保持している。
【００１９】
扉部材６は、扉軸７を中心にして回動可能で、入賞口４を閉鎖して入賞不可能にする閉鎖位置と、入賞口４の前方に傾斜状に倒れて入賞口４を開放し、また自身が上方から落下してきた遊技球を入賞口４へと誘導する誘導板ともなる開放位置とに可変である。
【００２０】
台板２の背面側には、前部８、中部９及び後部１０からなる機構収容部１５が配されており、後部１０にはアクチュエータであるプランジャ式ソレノイド１１が取り付けられている。
【００２１】
図２に示すように、機構収容部１５には、扉部材６の一部、クランク部材１２、前後移動部材１３、ソレノイド１１のプランジャ１４等が収容されている。なお、内部構造を明瞭に示すために、図２においては機構収容部１５は外形のみを示してある。
【００２２】
図３を参照して扉部材６、クランク部材１２、前後移動部材１３の詳細を説明する。
まず扉部材６には、入賞口４を開閉するための扉板１６が設けられている。扉板１６の左右端部には「く」の字状のガイド部１７ａ、１７ｂが連接されており、その屈曲部には上述の扉軸７を挿通させる扉軸穴１８が設けられている。扉軸７は扉軸穴１８を貫通しており、その両端が軸受部５によって保持されている。また、一方のガイド部１７ａの先端部には連結ピン１９が立設されている。
【００２３】
クランク部材１２には音叉状の駆動腕２０が設けられている。駆動腕２０の基部にはクランク軸２１（図２参照）を挿通させるためのクランク軸穴２２が設けられ、駆動腕２０に連接して板状部２３が設けられている。板状部２３のクランク軸穴２２を挟んで駆動腕２０と略反対になる位置には鋭角のコーナーである規制受部２４が設けられている。また、板状部２３にはクランクピン２５が立設されている。
【００２４】
前後移動部材１３には、矩形の連結凹部２７、嵌着スリット２８、規制部材２９（他の部分との区分を明瞭にするためにハッチングしてあるが、合成樹脂製の前後移動部材１３の一部である。）等が設けられている。
【００２５】
前述したように扉部材６は台板２に取り付けられているが、図２に示すようにガイド部１７ａ、１７ｂは機構収容部１５内にあり、連結ピン１９がクランク部材１２の駆動腕２０に抱えられている。これによって、扉部材６とクランク部材１２とが連結されているが、連結ピン１９は駆動腕２０（Ｕ字状の部分）に把持されているわけではなく、そのＵ字状の内側で相対移動できる。
【００２６】
クランク部材１２は、クランク軸２１を介して機構収容部１５（中部９）に取り付けられ、クランク軸２１を中心として回動自在である。
前後移動部材１３は、嵌着スリット２８にプランジャヘッド１４ａを嵌着させることで、プランジャ１４すなわちソレノイド１１と連結されている。このためソレノイド１１の励磁、消磁に伴うプランジャ１４の前進、後退に応じて前後に移動する。なお、機構収容部１５には前後移動部材１３を支承し、また前後移動部材１３の前後進をプランジャ１４の軸と平行にするためのガイド部材（図示略）が設けられている。
【００２７】
クランク部材１２のクランクピン２５が連結凹部２７の内側に位置するために、前後移動部材１３の前進、後退の動きがクランクピン２５を介してクランク部材１２に伝達される。そして、前後移動部材１３の後退時にはクランク部材１２が図２において時計回り（開扉方向）に駆動され、図２（ｄ）に示すように扉部材６が開放位置にされる。また、前後移動部材１３の前進時には、クランク部材１２が図２において反時計回り（閉扉方向）に駆動されて、扉部材６が閉鎖位置（図２（ａ）参照）にされる。
【００２８】
但し、ソレノイド１１が消磁されていてリターンスプリング（図示しない）によりプランジャ１４が前進した位置にあって、従って前後移動部材１３が前進端（図２（ａ）、（ｅ）に示す位置）にあるときは、規制部材２９が規制受部２４の下面に当接しているので（図２（ｆ）参照）、クランク部材１２を閉扉方向に回動させることはできない。すなわち、扉部材６に力を及ぼして、これを開放しようと図っても、クランク部材１２（駆動腕２０）が回動しないから、扉部材６を開放できない。
【００２９】
また、前後移動部材１３が前進端にあるときには、図２（ｆ）に拡大して示すように（図２（ａ）も参照）、連結凹部２７の拘引面２７ａ（図示左側の壁面）とクランクピン２５との間に距離Ａの間隔がある。そして、規制部材２９の規制受部２４との重複部分（規制受部２４の下に入り込んでいる部分）のプランジャ１４の軸方向にそった長さも同じくＡである。
【００３０】
このため、ソレノイド１１を励磁させてプランジャ１４に応じて前後移動部材１３を後退させても（図２（ａ）〜（ｂ））、前後移動部材１３が前進端から距離Ａを後退するまでは、前後移動部材１３の後退の動きがクランクピン２５（クランク部材１２）に伝達されない。従って、この間は、クランク部材１２は開扉方向に駆動されない。
【００３１】
図２（ｂ）に示すように、前後移動部材１３の前進端からの後退距離がＡになると、連結凹部２７の拘引面２７ａがクランクピン２５に当接するので、これ以後は前後移動部材１３の後退の動きがクランクピン２５を介してクランク部材１２に伝達される。
【００３２】
また、このときには規制部材２９の後退距離もＡになるから、規制部材２９が規制受部２４の下側（規制受部２４の軌道範囲）から退去している。従って、前後移動部材１３によって駆動されたクランク部材１２の開扉方向への回動は規制部材２９によって妨げられない。
【００３３】
そして、前後移動部材１３の後退が続けば、クランク部材１２が時計方向に回動し（図２（ｂ）〜（ｃ））、クランク部材１２の駆動腕２０の下腕が扉部材６の連結ピン１９に接触し、さらに前後移動部材１３の後退が続けば、クランク部材１２が開扉方向へ回動し（図２（ｃ）〜（ｄ））、これに伴って扉部材６が開放位置（図２（ｄ）に示す位置）になる。
【００３４】
図４には前後移動部材１３が前進端にあるとき（（ａ）、（ｂ））と後退端にあるとき（（ｃ）、（ｄ））の扉部材６、クランク部材１２及び前後移動部材１３の相互関係を示してある。前後移動部材１３が前進端にあるときには（図４（ａ）、（ｂ））、扉部材６が閉鎖位置にあってクランク部材１２は閉扉端に位置している。
【００３５】
前後移動部材１３が後退端にあるときには（図４（ｃ）、（ｄ））、扉部材６が開放位置にあってクランク部材１２は開扉端に位置している。この状態では、扉軸７、連結ピン１９及びクランク軸２１の中心が、図４（ｄ）に示すように同一直線上に位置する。
【００３６】
そして、扉部材６を開放位置にさせた後にソレノイド１１を消磁すると、リターンスプリング（図示しない）の作用により前後移動部材１３が前進し、連結凹部２７の押圧面２７ｂ（図示右側の壁面）にてクランクピン２５を押圧してクランク部材１２を閉扉方向へ回動させる。これにより、扉部材６が閉鎖位置に戻される。また、規制部材２９が規制受部２４の下に入り込んでくる。
【００３７】
以上説明したように、この可変入賞装置１においては、前後移動部材１３がその前進端から距離Ａを後退するまでは、連結凹部２７の拘引面２７ａがクランクピン２５に当接しないので、クランク部材１２は開扉方向に駆動されず、扉部材６は閉鎖位置にあって入賞口４は閉鎖されたままである。
【００３８】
その入賞口４が閉鎖されている状態にあるとき、つまり前後移動部材１３が距離Ａを後退するまでは、規制部材２９がクランク部材１２の規制受部２４の軌道範囲に在ってクランク部材１２の開扉方向への回動を阻むから、扉部材６に外力を及ぼしても扉部材６に連結されているクランク部材１２が開扉方向へ回動せず扉部材６は開放できない。これによって、ピアノ線などを用いて強制的に開放させる不正行為は防止される。
【００３９】
一方、前後移動部材１３が距離Ａを超えて後退すると、連結凹部２７の拘引面２７ａがクランクピン２５に当接し、クランク部材１２を開扉方向に駆動する力が前後移動部材１３からクランク部材１２に及ぼされ、クランク部材１２が開扉方向への回動を開始する。この回動開始のタイミングでは、規制部材２９は開扉方向へ回動する規制受部２４の移動先から退去して、クランク部材１２の回動を妨げない。従って、前後移動部材１３の後退が継続すれば、扉部材６が開放位置になる。
【００４０】
前後移動部材１３から力を及ぼされて開扉方向へ回動するクランク部材１２の移動先から規制部材が退去しており、この状態においては規制部材２９はクランク部材１２の回動の妨げとならない。
【００４１】
従って、クランク部材１２（駆動腕２０、規制受部２４）の開扉方向への回動範囲は規制部材２９による制約を受けないから、クランク部材１２の開扉端〜閉扉端間における駆動腕２０の変位範囲（振幅）を可及的に大きくできる。
【００４２】
よって、駆動腕２０の長さを大きくせずとも、駆動腕２０の先端部を扉部材６の開閉変位に十分なだけ昇降変位させることができる。つまり、可変入賞装置１の全長（奥行き寸法）を小さくでき、可変入賞装置１が遊技盤の背後に大きく突出して遊技盤の背後における制御基板などの部品配置を制約する等の不具合は生じない。
【００４３】
特に、クランク部材１２にはクランク軸２１を中心とする回動半径が駆動腕２０の同半径よりも短い規制受部２４が設けられ、規制部材２９は、前後移動部材１３が距離Ａを後退するまでは規制受部２４の軌道範囲に在って規制受部２４の開扉方向への回動を阻み、前後移動部材１３が距離Ａを超えて後退すると規制受部２４の軌道範囲から退去する構成であるから、クランク部材１２の開扉方向への回動を阻むか阻まないかは規制受部２４と規制部材２９との相対関係になるので、駆動腕２０などに影響しないから、上述の効果をより確実にしている。また、規制受部２４の軌道範囲と駆動腕２０の軌道範囲とが重複しない構成であるから、規制受部２４を設けたことによる効果が一層確実になる。
【００４４】
ここで、扉部材６を強制的に開く方向に力を加えるても、規制受部２４と規制部材２９とが接触することによって、クランク部材１２が時計方向へ回転することはないが、過度の力が加わることでクランク部材１２の駆動腕２０又は扉部材６の連結ピン１９が破損し、扉部材６が開放位置に変位することが想定される。
【００４５】
そのため、扉部材６のガイド部１７ａ及び１７ｂの後端（図２の機構収容部１５に入っている扉部材６の一部、図３の扉部材６の右側面図における扉軸穴１８よりも右側）に合成樹脂よりも比重の大きな素材を取り付け、クランク部材１２の駆動腕２０又は扉部材６の連結ピン１９が破損した場合に、扉部材６が開放位置に変位した状態を維持し難いように構成することが望ましい。
［実施例２］
実施例１では扉部材６が閉鎖位置にあるときには規制部材２９が規制受部２４の下面に当接する構成であるが、当接していなくてもよいので、その一例を説明する。なお、構成の大部分が実施例１と同様であるから、それらは実施例１と同符号を使用して説明を省略する。
【００４６】
図５（ａ）に示すように、本実施例では、扉部材６が閉鎖位置にあるときには規制部材２９が規制受部２４の下面に当接しておらず、規制部材２９と規制受部２４との間にはわずかな隙間ができている。従って、クランク部材１２は規制受部２４が規制部材２９に接触するまでの範囲で回動可能である。
【００４７】
但し、前後移動部材１３が前進端にあるときの規制部材２９の規制受部２４との重複部分の長さは、連結凹部２７の拘引面２７ａとクランクピン２５との間の距離Ａと等しい設定である。
【００４８】
この扉部材６が閉鎖位置にあり入賞口４は閉鎖されている状態のときに（又は前後移動部材１３の後退距離が距離Ａに達していないときに）、扉部材６に外力を及ぼして開放しようとすると、図５（ｂ）に示すように、規制受部２４が規制部材２９に接触するまではクランク部材１２が回動するので、それに見合った分だけ扉部材６を開くことができる。
【００４９】
しかし、このときに扉部材６と入賞口４との間にできる隙間は遊技球の直径よりも十分に小さいので、この隙間から遊技球を入賞口４に入れることはできない。また、規制受部２４が規制部材２９に接触したなら、それ以上は扉部材６を開くことができない。従って、実施例１と同様に、ピアノ線などを用いて扉部材６を強制的に開放させる不正行為は防止される。
【００５０】
この他の、ソレノイド１１の励磁、消磁による扉部材６の開放、閉鎖に関係する各部の動作などは実施例１と同様である。
本実施例のように構成しても、実施例１と同様の効果が得られる。
［変形例１］
実施例２のように、扉部材６に開放方向の外力を及ぼした場合に、規制受部２４による規制を受けるまでの範囲でクランク部材１２が回動可能な構成において、図６に例示する構成を採用ができる。
【００５１】
この図６に示す例では、規制部材２９の凹部２９ａを設けてあり、扉部材６に開放方向の外力が及ぼされて図６（ｂ）に示すようにクランク部材１２がわずかに回動したときに、図６（ｃ）に拡大して示すとおり、この凹部２９ａに規制受部２４がはまり込む。
【００５２】
このように構成すると、規制受部２４と規制部材２９との密着度が増すために、両者の接触部分にかかる力が接触面全体に分散され、クランク部材１２（規制受部２４）又は規制部材２９が変形或いは破損するのを防止できる。
【００５３】
また、規制受部２４と規制部材２９の接触部分の形状によっては、ソレノイド１１のプランジャ１４を後退させる方向へのベクトルを小さくすることも可能である。
本実施例においても、上述の効果の他に実施例１と同様の効果がある。
［実施例３］
実施例１、２では規制部材２９の角部（稜線）が規制受部２４の下面に当接する構成であるが、これを面接触にすることができるので、その一例を説明する。なお、構成の大部分が実施例１と同様であるから、それらは実施例１と同符号を使用して説明を省略する。
【００５４】
図７に示すように、本実施例の規制部材２９には傾斜面である当接面２９ｂが設けられている。この当接面２９ｂの傾斜度合いは、クランク部材１２が閉扉端（扉部材６が閉鎖位置）にあるときの規制受部２４の下面の角度に対応しており、この状態では図示するように当接面２９ｂが規制受部２４の下面に密接状に当接する。この当接面２９ｂによる規制部材２９の規制受部２４との重複部分の長さは、連結凹部２７の拘引面２７ａとクランクピン２５との間の距離Ａと等しい設定である。
【００５５】
このように当接面２９ｂが規制受部２４の下面に密接状に当接する構成であると、規制受部２４と規制部材２９との密着度が増すために、両者の接触部分にかかる力が接触面全体に分散され、クランク部材１２（規制受部２４）又は規制部材２９が変形或いは破損するのを防止できる。
【００５６】
また、規制受部２４と規制部材２９の接触部分の形状によっては、ソレノイド１１のプランジャ１４を後退させる方向へのベクトルを小さくすることも可能である。
本実施例においても、上述の効果の他に実施例１と同様の効果がある。
［実施例４］
規制部材２９と規制受部２４の下面とを面接触させる場合、規制部材２９の当接面を傾斜面にする必要はないので、その一例を説明する。なお、構成の大部分が実施例１と同様であるから、それらは実施例１と同符号を使用して説明を省略する。
【００５７】
図８に示すように、本実施例の規制部材２９の上面は水平な当接面２９ｃとされている。また、クランク部材１２が閉扉端（扉部材６が閉鎖位置）にあるときの規制受部２４の下面２４ａも水平面となる設定であり、この状態では図示するように当接面２９ｃが規制受部２４の下面２４ａに密接状に当接する。この当接面２９ｃと規制受部２４（下面２４ａ）との重複部分の長さは、連結凹部２７の拘引面２７ａとクランクピン２５との間の距離Ａと等しい設定である。
【００５８】
このようにしても当接面２９ｃと規制受部２４の下面２４ａとが密接状に当接するので、規制受部２４と規制部材２９との密着度が増すために、両者の接触部分にかかる力が接触面全体に分散され、クランク部材１２（規制受部２４）又は規制部材２９が変形或いは破損するのを防止できる。
【００５９】
また、強制的に開放させようとして扉部材６に力を加えた場合、その力がクランク部材１２（規制受部２４の下面２４ａ）から規制部材２９すなわち前後移動部材１３に作用する方向は、プランジャ１４の軸方向と直交する方向になる。
従って、このような力は、プランジャ１４を後退させる力として作用せず、ピアノ線などを用いて扉部材６を強制的に開放させる不正行為に対する耐性が一層高まる。
【００６０】
本実施例においても、上述の効果の他に実施例１と同様の効果がある。
［実施例５］
実施例１〜４はいずれも、前後移動部材１３が前進端にあるときの規制部材２９の規制受部２４との重複部分の長さは、連結凹部２７の拘引面２７ａとクランクピン２５との間の距離Ａと等しい設定であるが、この重複部分の長さを拘引面２７ａとクランクピン２５との間の距離Ａよりも短くすることもできる。その一例を実施例５として説明する。なお、構成の大部分が実施例１と同様であるから、それらは実施例１と同符号を使用して説明を省略する。
【００６１】
図９に示すように、本実施例では、前後移動部材１３が前進端にあるときの規制部材２９の規制受部２４との重複部分の長さＢは、連結凹部２７の拘引面２７ａとクランクピン２５との間の距離Ａよりも小さい設定である。
【００６２】
本実施例においては、ソレノイド１１を励磁させて前後移動部材１３を後退させた場合に、前後移動部材１３が前進端から距離Ａを後退するまでは、前後移動部材１３の後退の動きがクランクピン２５（クランク部材１２）に伝達されず、この間、クランク部材１２は開扉方向に駆動されないのは実施例１と同様である。
【００６３】
しかし、重複部分の長さＢが上述の距離Ａよりも小さいので、前後移動部材１３が前進端から距離Ａを後退したときには、既に規制部材２９が規制受部２４の下側（規制受部２４の軌道範囲）から退去している。従って、前後移動部材１３によって駆動されたクランク部材１２が開扉方向へ回動し始めるときに規制受部２４が規制部材２９に接触するおそれはない。
【００６４】
なお、クランク部材１２が回動し始めるときに規制部材２９と接触するのを防止するには、重複部分の長さＢを上述の距離Ａよりもわずかに小さくしておけば十分である。また、重複部分の長さＢが短すぎると、扉部材６を強制的に開放させようと図ったときに、規制受部２４が規制部材２９から外れ落ちてクランク部材１２が回動してしまう（扉部材６が開放される）おそれがある。従って、ＡとＢの差はできるだけ小さい方がよいが、図９ではＡ＞Ｂの関係を明瞭にするために、ＡとＢの差を少し誇張してある。
【００６５】
また、Ａ＞Ｂとした上で、実施例２のように扉部材６が閉鎖位置にあるときには規制部材２９が規制受部２４の下面に当接してい構成とした場合、扉部材６を強制的に開放させようと図ったときに、規制受部２４が規制部材２９に接触しないおそれもあるため、規制受部２４と規制部材２９との距離、連結凹部２７の拘引面２７ａとクランクピン２５との間の距離Ａ及び重複部分の長さＢは十分考慮する必要がある。
【００６６】
Ａ＞Ｂとした上であっても、扉部材６が閉鎖位置にあるときに規制受部２４が規制部材２９に接触している構成であれば、ソレノイド１１が消磁されていてリターンスプリング（図示しない）によりプランジャ１４が前進した位置にあって、従って前後移動部材１３が前進端（図９（ａ）、（ｄ）に示す位置）にあるときに扉部材６に力を及ぼして、これを開放しようと図っても、規制部材２９が規制受部２４の下面に当接しているためにクランク部材１２（駆動腕２０）が回動しないから、扉部材６を開放できない。
【００６７】
本実施例においても、上述の効果の他に実施例１と同様の効果がある。
【図面の簡単な説明】
【００６８】
【図１】実施例の可変入賞装置の正面図（ａ）及び側面図（ｂ）。
【図２】実施例１の可変入賞装置の動作説明図。
【図３】実施例１の可変入賞装置の部品図。
【図４】実施例１の可変入賞装置における扉部材の閉鎖時（ａ）、（ｂ）と開放時（ｃ）、（ｄ）の説明図。
【図５】実施例２の可変入賞装置の正常な閉鎖時（ａ）と強制的に開放を図ったとき（ｂ）の説明図。
【図６】変形例１の可変入賞装置の正常な閉鎖時（ａ）と強制的に開放を図ったとき（ｂ）の説明図。
【図７】実施例３の可変入賞装置の説明図。
【図８】実施例４の可変入賞装置の説明図。
【図９】実施例５の可変入賞装置の動作説明図。
【符号の説明】
【００６９】
１・・・可変入賞装置、
２・・・台板、
４・・・入賞口、
６・・・扉部材、
７・・・扉軸、
１１・・・ソレノイド、
１２・・・クランク部材、
１３・・・前後移動部材、
１４・・・プランジャ、
１９・・・連結ピン、
２０・・・駆動腕、
２１・・・クランク軸、
２２・・・クランク軸穴、
２４・・・規制受部、
２５・・・クランクピン、
２７・・・連結凹部、
２９・・・規制部材。
【図１】
2008043553.tif 000003
【図２】
2008043553.tif 000004
【図３】
2008043553.tif 000005
【図４】
2008043553.tif 000006
【図５】
2008043553.tif 000007
【図６】
2008043553.tif 000008
【図７】
2008043553.tif 000009
【図８】
2008043553.tif 000010
【図９】
2008043553.tif 000011